(57)【要約】【課題】着脱ユニットと開閉カバーとの間の空間に廃トナー回収容器を配置しても、露光装置が対向位置と離間位置との間で簡易に移動されて、着脱ユニットの着脱を少ない手順でおこなうことができる、画像形成装置を提供する。【解決手段】露光装置１６を、露光工程をおこなうために感光体ドラム１１（像担持体）に対向する対向位置と、対向位置よりも感光体ドラム１１から離れた離間位置と、の間で移動させる移動機構３６が設けられている。また、廃トナー回収容器３０が、開閉カバー５０とプロセスカートリッジ１０（着脱ユニット）との間の空間に、着脱可能に配置されている。そして、画像形成装置本体１に対して廃トナー回収容器３０を着脱する動作に連動して、露光装置１６が離間位置から対向位置に移動したり対向位置から離間位置に移動したりするように移動機構３６が動作する。【選択図】図４
2018054711.tif 000002
【特許請求の範囲】
【請求項１】
少なくとも像担持体を具備して、画像形成装置本体に対して前記像担持体の回転軸方向を着脱方向として移動して着脱可能に設置される着脱ユニットと、
前記像担持体に対して所定の対向位置で対向して、前記像担持体の表面に潜像を形成する露光装置と、
前記露光装置を、前記対向位置と、前記対向位置よりも前記像担持体から離れた離間位置と、の間で移動させる移動機構と、
前記画像形成装置本体に対して着脱可能に設置されて、クリーニング装置で回収された未転写トナーが廃トナーとして回収される廃トナー回収容器と、
前記画像形成装置本体の内部を開閉して前記着脱ユニットの着脱と前記廃トナー回収容器の着脱とを可能にする開閉カバーと、
を備え、
前記廃トナー回収容器は、前記開閉カバーと前記着脱ユニットとの間の空間に配置され、
前記画像形成装置本体に対して前記廃トナー回収容器を装着する動作に連動して、前記露光装置が前記離間位置から前記対向位置に移動するように前記移動機構が動作して、
前記画像形成装置本体に対して前記廃トナー回収容器を離脱する動作に連動して、前記露光装置が前記対向位置から前記離間位置に移動するように前記移動機構が動作することを特徴とする画像形成装置。
【請求項２】
前記移動機構は、第１支持部と、前記第１支持部に対して前記露光装置から離れた位置に形成された第２支持部と、前記第１支持部と前記第２支持部とを中継するスロープ部と、がそれぞれ前記回転軸方向に延在するように形成された支持部材を備え、
前記画像形成装置本体に対して前記廃トナー回収容器を装着する動作に連動して、前記支持部材が前記廃トナー回収容器に前記回転軸方向に押動されて、前記第２支持部によって前記露光装置を支持した状態から前記第１支持部によって前記露光装置を支持した状態に変化することを特徴とする請求項１に記載の画像形成装置。
【請求項３】
前記支持部材は、前記廃トナー回収容器に嵌合可能な嵌合部を具備し、
前記画像形成装置本体に対して前記廃トナー回収容器を離脱する動作に連動して、前記支持部材の前記嵌合部が前記廃トナー回収容器に嵌合した状態で前記回転軸方向に引っ張られて、前記第１支持部によって前記露光装置を支持した状態から前記第２支持部によって前記露光装置を支持した状態に変化することを特徴とする請求項２に記載の画像形成装置。
【請求項４】
前記支持部材は、
前記回転軸方向に引っ張られて前記第２支持部によって前記露光装置を支持した状態に変化した後に、所定位置でストッパ部に嵌合してその移動が規制されるとともに、前記嵌合部と前記廃トナー回収容器との嵌合が解除されて、
前記廃トナー回収容器によって前記回転軸方向に押動されたときに前記ストッパ部との嵌合が解除されることを特徴とする請求項３に記載の画像形成装置。
【請求項５】
前記移動機構は、前記支持部材を前記着脱方向における装着方向の奥側に向けて付勢する付勢部材を具備したことを特徴とする請求項３又は請求項４に記載の画像形成装置。
【請求項６】
前記像担持体に対して前記露光装置が前記対向位置に位置している状態を検知する検知手段を備え、
前記検知手段によって前記露光装置が前記対向位置に位置している状態が検知されないときに、その旨の報知と、前記廃トナー回収容器が装着されていない旨の報知と、をおこなうとともに、画像形成動作が開始されないように制御することを特徴とする請求項１〜請求項５のいずれかに記載の画像形成装置。
【請求項７】
前記開閉カバーの開閉動作に連動して前記廃トナー回収容器の脱着動作がおこなわれることを特徴とする請求項１〜請求項６のいずれかに記載の画像形成装置。
【請求項８】
前記露光装置は、ＬＥＤユニットであって、前記像担持体の下方で対向するように配置され、
前記着脱ユニットは、プロセスカートリッジであって、
複数の前記プロセスカートリッジが並設され、
前記開閉カバーと前記複数のプロセスカートリッジとの間の空間に、１つの前記廃トナー回収容器が配置され、
前記画像形成装置本体に対して前記廃トナー回収容器が離脱された状態のときに、前記画像形成装置本体に対して前記複数のプロセスカートリッジが着脱可能な状態になることを特徴とする請求項１〜請求項７のいずれかに記載の画像形成装置。
【発明の詳細な説明】
【技術分野】
【０００１】
この発明は、複写機、プリンタ、ファクシミリ、又は、それらの複合機等の画像形成装置に関するものである。
【背景技術】
【０００２】
従来から、複写機、プリンタ、ファクシミリ、又は、それらの複合機等の電子写真方式を用いた画像形成装置において、像担持体（感光体ドラム）の下方に近接するように、感光体ドラムの表面に潜像を形成するための露光装置(ＬＥＤユニット)が配置されたものが広く知られている（例えば、特許文献１参照。）。
【０００３】
詳しくは、特許文献１において、感光体ドラム（像担持体）は、感光体ユニット（着脱ユニット）の構成部材として構成されている。そして、感光体ユニットは、画像形成装置本体に対して、感光体ドラムの回転軸方向を着脱方向として着脱できるように構成されている。また、ＬＥＤユニット（露光装置）は、感光体ドラムの表面を露光して潜像を形成することが可能な露光位置（対向位置）と、露光位置から下方に充分に退避した退避位置（離間位置）と、の間を移動できるように構成されている。
そして、感光体ユニットの着脱（交換）がおこなわれるときには、感光体ドラムとＬＥＤユニットとが互いに干渉しないように、ＬＥＤユニットを露光位置から退避位置に移動させた状態で、その着脱操作がおこなわれる。
【０００４】
一方、特許文献１には、ＬＥＤユニットを効率的に露光位置と退避位置との間で上下動させることなどを目的として、画像形成装置本体のフロントカバー（開閉カバー）の開閉動作に連動させて、ＬＥＤユニットの上下動をおこなう技術が開示されている。
【発明の概要】
【発明が解決しようとする課題】
【０００５】
上述した特許文献１の画像形成装置は、着脱ユニット（感光体ユニット）と開閉カバー（フロントカバー）との間の空間に、クリーニング装置で回収された未転写トナーを廃トナーとして回収する廃トナー回収容器を配置しようとした場合に、開閉カバーの開閉動作に連動させて露光装置（ＬＥＤユニット）を上下動させる機構を設けることができなかったり、そのような機構を設けるために廃トナー回収容器の容量や形状などに大きな制約が生じてしまったりしていた。
【０００６】
この発明は、上述のような課題を解決するためになされたもので、着脱ユニットと開閉カバーとの間の空間に廃トナー回収容器を配置しても、露光装置が対向位置と離間位置との間で簡易に移動されて、着脱ユニットの着脱を少ない手順でおこなうことができる、画像形成装置を提供することにある。
【課題を解決するための手段】
【０００７】
この発明における画像形成装置は、少なくとも像担持体を具備して、画像形成装置本体に対して前記像担持体の回転軸方向を着脱方向として移動して着脱可能に設置される着脱ユニットと、前記像担持体に対して所定の対向位置で対向して、前記像担持体の表面に潜像を形成する露光装置と、前記露光装置を、前記対向位置と、前記対向位置よりも前記像担持体から離れた離間位置と、の間で移動させる移動機構と、前記画像形成装置本体に対して着脱可能に設置されて、クリーニング装置で回収された未転写トナーが廃トナーとして回収される廃トナー回収容器と、前記画像形成装置本体の内部を開閉して前記着脱ユニットの着脱と前記廃トナー回収容器の着脱とを可能にする開閉カバーと、を備え、前記廃トナー回収容器は、前記開閉カバーと前記着脱ユニットとの間の空間に配置され、前記画像形成装置本体に対して前記廃トナー回収容器を装着する動作に連動して、前記露光装置が前記離間位置から前記対向位置に移動するように前記移動機構が動作して、前記画像形成装置本体に対して前記廃トナー回収容器を離脱する動作に連動して、前記露光装置が前記対向位置から前記離間位置に移動するように前記移動機構が動作するものである。
【発明の効果】
【０００８】
本発明によれば、着脱ユニットと開閉カバーとの間の空間に廃トナー回収容器を配置しても、露光装置が対向位置と離間位置との間で簡易に移動されて、着脱ユニットの着脱を少ない手順でおこなうことができる、画像形成装置を提供することができる。
【図面の簡単な説明】
【０００９】
【図１】この発明の実施の形態における画像形成装置を示す全体構成図である。
【図２】（Ａ）通常の画像形成時における作像部を示す構成図と、（Ｂ）露光装置が離間位置に移動した状態を示す図と、である。
【図３】画像形成装置本体から廃トナー回収容器とプロセスカートリッジとが取り外される手順を示す斜視図である。
【図４】画像形成装置本体に対して廃トナー回収容器が装着される手順を示す概略断面図である。
【図５】変形例１としての、画像形成装置本体に対して廃トナー回収容器が装着される手順を示す概略断面図である。
【図６】変形例２としての、画像形成装置本体に対して廃トナー回収容器が離脱される手順を示す概略断面図である。
【発明を実施するための形態】
【００１０】
以下、この発明を実施するための形態について、図面を参照して詳細に説明する。なお、各図中、同一又は相当する部分には同一の符号を付しており、その重複説明は適宜に簡略化ないし省略する。
【００１１】
まず、図１にて、画像形成装置１における全体の構成・動作について説明する。
図１において、１は画像形成装置としてのタンデム型カラー複写機、３は原稿を原稿読込部に搬送する原稿搬送部、４は原稿の画像情報を読み込む原稿読込部、５は出力画像が積載される排紙トレイ、７は転写紙等の記録媒体Ｐが収容される給紙部、９は記録媒体Ｐの搬送タイミングを調整するレジストローラ、を示す。１０Ｙ、１０Ｍ、１０Ｃ、１０ＢＫは各色（イエロー、マゼンタ、シアン、ブラック）に対応したプロセスカートリッジ（着脱ユニット）、１１Ｙ、１１Ｍ、１１Ｃ、１１ＢＫは各色（イエロー、マゼンタ、シアン、ブラック）のトナー像が形成される像担持体としての感光体ドラム、を示す。
また、１４は各感光体ドラム１１Ｙ、１１Ｍ、１１Ｃ、１１ＢＫ上に形成されたトナー像を記録媒体Ｐ上に重ねて転写する１次転写バイアスローラ、１７は複数色のトナー像が重ねて転写される中間転写ベルト、を示す。１８は中間転写ベルト１７上のトナー像を記録媒体Ｐ上に転写するための２次転写バイアスローラ、２０は記録媒体Ｐ上の未定着画像を定着する定着装置、２８は各色（イエロー、シアン、マゼンタ、ブラック）のトナーを現像装置１３に供給する各色のトナー容器、２９は中間転写ベルト１７用のクリーニング装置、を示す。
【００１２】
以下、画像形成装置における、通常のカラー画像形成時の動作について説明する。
なお、感光体ドラム１１Ｙ、１１Ｍ、１１Ｃ、１１ＢＫの表面でおこなわれる作像プロセスについては、図２（Ａ）をも参照することができる。
まず、原稿は、原稿搬送部３の搬送ローラによって、原稿台から搬送されて、原稿読込部４のコンタクトガラス上に載置される。そして、原稿読込部４で、コンタクトガラス上に載置された原稿の画像情報が光学的に読み取られる。
【００１３】
詳しくは、原稿読込部４は、コンタクトガラス上の原稿の画像に対して、照明ランプから発した光を照射しながら走査させる。そして、原稿にて反射した光を、ミラー群及びレンズを介して、カラーセンサに結像する。原稿のカラー画像情報は、カラーセンサにてＲＧＢ（レッド、グリーン、ブルー）の色分解光ごとに読み取られた後に、電気的な画像信号に変換される。さらに、ＲＧＢの色分解画像信号をもとにして画像処理部で色変換処理、色補正処理、空間周波数補正処理等の処理をおこない、イエロー、マゼンタ、シアン、ブラックのカラー画像情報を得る。
【００１４】
そして、イエロー、マゼンタ、シアン、ブラックの各色の画像情報は、露光装置１６（図２（Ａ）を参照できる。）に送信される。そして、露光装置１６（書込み部）からは、各色の画像情報に基づいた露光光Ｌ（図２（Ａ）を参照できる。）が、それぞれ、対応する感光体ドラム１１Ｙ、１１Ｍ、１１Ｃ、１１ＢＫの表面に向けて発せられる。
なお、本実施の形態における露光装置１６は、ＬＥＤユニットであって、各色（イエロー、マゼンタ、シアン、ブラック）ごとに、対応する感光体ドラム１１Ｙ、１１Ｍ、１１Ｃ、１１ＢＫに対向するように、それぞれ設置されている。
【００１５】
一方、４つの感光体ドラム１１Ｙ、１１Ｍ、１１Ｃ、１１ＢＫは、それぞれ、図１の時計方向に回転している。そして、まず、感光体ドラム１１Ｙ、１１Ｍ、１１Ｃ、１１ＢＫの表面は、帯電装置１２（図２（Ａ）を参照できる。）との対向部で、一様に帯電される（帯電工程である。）。こうして、感光体ドラム１１Ｙ、１１Ｍ、１１Ｃ、１１ＢＫ上には、帯電電位が形成される。その後、帯電された感光体ドラム１１Ｙ、１１Ｍ、１１Ｃ、１１ＢＫの表面は、それぞれの露光光Ｌの照射位置に達する。
露光装置１６（ＬＥＤユニット）から画像信号に対応した露光光Ｌが射出される（露光工程である。）。
【００１６】
イエロー成分に対応した露光装置から射出された露光光は、紙面左側から１番目の感光体ドラム１１Ｙの表面に回転軸方向（主走査方向）に照射される。こうして、帯電装置１２にて帯電された後の感光体ドラム１１Ｙ上には、イエロー成分に対応した静電潜像が形成される。
【００１７】
同様に、マゼンタ成分に対応した露光装置から射出された露光光は、紙面左から２番目の感光体ドラム１１Ｍの表面に照射されて、マゼンタ成分に対応した静電潜像が形成される。シアン成分の露光装置から射出された露光光は、紙面左から３番目の感光体ドラム１１Ｃの表面に照射されて、シアン成分の静電潜像が形成される。ブラック成分の露光装置から射出された露光光は、紙面左から４番目の感光体ドラム１１ＢＫの表面に照射されて、ブラック成分の静電潜像が形成される。
【００１８】
その後、各色の静電潜像が形成された感光体ドラム１１Ｙ、１１Ｍ、１１Ｃ、１１ＢＫの表面は、それぞれ、現像装置１３との対向位置に達する。そして、各現像装置１３から感光体ドラム１１Ｙ、１１Ｍ、１１Ｃ、１１ＢＫ上に各色のトナーが供給されて、感光体ドラム１１Ｙ、１１Ｍ、１１Ｃ、１１ＢＫ上の潜像が現像される（現像工程である。）。
その後、現像工程後の感光体ドラム１１Ｙ、１１Ｍ、１１Ｃ、１１ＢＫの表面は、それぞれ、中間転写ベルト１７との対向部に達する。ここで、それぞれの対向部には、中間転写ベルト１７の内周面に当接するように１次転写バイアスローラ１４が設置されている。そして、１次転写バイアスローラ１４の位置で、中間転写ベルト１７上に、感光体ドラム１１Ｙ、１１Ｍ、１１Ｃ、１１ＢＫ上に形成された各色のトナー像が、順次重ねて転写される（１次転写工程である。）。
【００１９】
そして、転写工程後の感光体ドラム１１Ｙ、１１Ｍ、１１Ｃ、１１ＢＫの表面は、それぞれ、クリーニング装置１５との対向位置に達する。そして、クリーニング装置１５で、感光体ドラム１１Ｙ、１１Ｍ、１１Ｃ、１１ＢＫ上に残存する未転写トナーが回収される（クリーニング工程である。）。
その後、感光体ドラム１１Ｙ、１１Ｍ、１１Ｃ、１１ＢＫの表面は、除電部を通過して、感光体ドラム１１Ｙ、１１Ｍ、１１Ｃ、１１ＢＫにおける一連の作像プロセスが終了する。
【００２０】
他方、感光体ドラム１１Ｙ、１１Ｍ、１１Ｃ、１１ＢＫ上の各色のトナーが重ねて転写（担持）された中間転写ベルト１７は、図１の反時計方向に走行して、２次転写バイアスローラ１８との対向位置に達する。そして、２次転写バイアスローラ１８との対向位置で、記録媒体Ｐ上に中間転写ベルト１７上に担持されたカラーのトナー像が転写される（２次転写工程である。）。
その後、中間転写ベルト１７表面は、クリーニング装置２９（中間転写ベルトクリーニング装置）の位置に達する。そして、中間転写ベルト１７上に付着した未転写トナーが中間転写ベルトクリーニング装置２９に回収されて、中間転写ベルト１７における一連の転写プロセスが終了する。
なお、中間転写ベルトクリーニング装置２９に回収された未転写トナーは、搬送経路を経て廃トナー回収容器３０に向けて搬送されて、廃トナーとして廃トナー回収容器３０の内部に回収される。
【００２１】
ここで、中間転写ベルト１７と２次転写バイアスローラ１８との間（２次転写ニップである。）に搬送される記録媒体Ｐは、給紙部７からレジストローラ９等を経由して搬送されるものである。
詳しくは、記録媒体Ｐを収納する給紙部７から、給紙ローラ８により給送された記録媒体Ｐが、搬送ガイドを通過した後に、レジストローラ９に導かれる。レジストローラ９に達した記録媒体Ｐは、タイミングを合わせて、２次転写ニップに向けて搬送される。
【００２２】
そして、フルカラー画像が転写された記録媒体Ｐは、その後に定着装置２０に導かれる。定着装置２０では、定着ローラと加圧ローラとのニップにて、カラー画像が記録媒体Ｐ上に定着される。
そして、定着工程後の記録媒体Ｐは、排紙ローラによって装置本体１外に出力画像として排出されて、排紙トレイ５上にスタックされて、一連の画像形成プロセスが完了する。
【００２３】
次に、図２（Ａ）等を用いて、画像形成装置１における、着脱ユニットとしてのプロセスカートリッジ１０（作像部）について詳述する。
図２（Ａ）は、プロセスカートリッジ１０（作像部）を示す構成図であって、感光体ドラム１１の回転軸に直交する断面でみた図である。ここで、図２（Ｂ）は、露光装置１６（ＬＥＤユニット）が感光体ドラム１１から充分に離れた離間位置に移動した状態を示す図であるが、これについては後で詳しく説明する。
なお、各作像部はほぼ同一構造であるために、図２（及び、後述する図４〜図６）にて作像部及び現像装置は符号のアルファベット（Ｙ、Ｃ、Ｍ、ＢＫ）を除して図示する。
【００２４】
図２（Ａ）に示すように、プロセスカートリッジ１０は、像担持体としての感光体ドラム１１、帯電装置１２（帯電部）、現像装置１３（現像部）、クリーニング装置１５（クリーニング部）が一体化されて、画像形成装置本体１に対して着脱可能に設置された着脱ユニットである。プロセスカートリッジ１０は、図２（Ａ）の紙面垂直方向（感光体ドラム１１の回転軸方向である。）を着脱方向として移動されて、画像形成装置本体１に対して着脱されることになる。プロセスカートリッジ１０は、所定の交換サイクルによって、画像形成装置本体１から取り外されて新品のものに交換される。
【００２５】
像担持体としての感光体ドラム１１は、負帯電の有機感光体であって、回転駆動機構によって時計方向に回転駆動される。
帯電装置１２は、芯金上に、ウレタン樹脂、導電性粒子としてのカーボンブラック、硫化剤、発泡剤等を処方した中抵抗の発泡ウレタン層をローラ状に形成した弾性を有する帯電ローラである。帯電装置１２の中抵抗層の材質としては、ウレタン、エチレン−プロピレン−ジエンポリエチレン（ＥＰＤＭ）、ブタジエンアクリロニトリルゴム（ＮＢＲ）、シリコーンゴムや、イソプレンゴム等に抵抗調整のためにカーボンブラックや金属酸化物等の導電性物質を分散したゴム材や、またこれらを発泡させたものを用いることもできる。本実施の形態において、帯電装置１２（帯電ローラ）は、感光体ドラム１１に接触しており、図２（Ａ）の反時計方向に回転する。
また、本実施の形態では、帯電装置１２（帯電ローラ）の表面を清掃するためのクリーニングローラ３２が設置されている。本実施の形態において、クリーニングローラ３２は、帯電装置１２（帯電ローラ）に接触しており、図２（Ａ）の時計方向に回転する。また、このクリーニングローラ３２も、プロセスカートリッジ１０の構成部材として、感光体ドラム１１などの部材（部分）と一体的に構成されている。
【００２６】
現像装置１３は、現像ローラ１３ａ（現像剤担持体）、供給スクリュ１３ｂ１（第１搬送部材）、搬送スクリュ１３ｂ２（第２搬送部材）、丸棒ドクタ１３ｃ（現像剤規制部材）、等で構成されている。現像ローラ１３ａは、感光体ドラム１１に対して僅かなギャップをあけて対向するように配置されていて、双方の対向部分には感光体ドラム１１と磁気ブラシ（穂立ちした状態の現像剤Ｇである。）とが接触する現像領域が形成される。現像装置１３内には、トナーＴとキャリアＣとからなる現像剤Ｇ（２成分現像剤）が収容されている。そして、現像装置１３は、感光体ドラム１１の表面に形成される静電潜像を現像する（トナー像を形成する。）。
【００２７】
クリーニング装置１５は、感光体ドラム１１に摺接するクリーニングブレードが設置されていて、感光体ドラム１１上の未転写トナーを機械的に除去・回収する。
なお、クリーニング装置１５に回収された未転写トナーは、搬送経路を経て廃トナー回収容器３０に向けて搬送されて、廃トナーとして廃トナー回収容器３０の内部に回収される。廃トナー回収容器３０は、その内部が廃トナーで満杯になると、画像形成装置本体１から取り外されて新品のもの（空のもの）に交換される。
【００２８】
図１を参照して、トナー容器２８は、その内部に現像装置１３内に供給するためのトナーＴを収容している。具体的に、現像装置１３に設置された磁気センサによって検知されるトナー濃度（現像剤Ｇ中のトナーの割合である。）の情報に基いて、トナー搬送管を介して、トナー容器２８から現像装置１３内に向けて補給口１３ｄ（図３を参照できる。）からトナーＴを適宜に供給する。
【００２９】
以下、本実施の形態における画像形成装置１の、特徴的な構成・動作について説明する。
先に図２（Ａ）等を用いて説明したように、本実施の形態における画像形成装置１には、着脱ユニットとしてのプロセスカートリッジ１０が、画像形成装置本体１に対して感光体ドラム１１（像担持体）の回転軸方向を着脱方向として移動して着脱可能に設置されている。すなわち、プロセスカートリッジ１０は、図２の紙面垂直方向、図３（Ｃ）の白矢印方向、図４の左右方向に移動して、画像形成装置本体１に対して装着されたり離脱されたりすることになる。本実施の形態では、図１に示すように、複数のプロセスカートリッジ１０Ｙ、１０Ｍ、１０Ｃ、１０ＢＫが略水平方向に間隔をあけて並設されている。
【００３０】
また、本実施の形態における画像形成装置１には、感光体ドラム１１（像担持体）に対して所定の対向位置（図２（Ａ）に示す位置である。）で対向して、感光体ドラム１１の表面に潜像を形成する露光装置１６が設置されている。露光装置１６は、感光体ドラム１１の下方で対向するように配置されている。
本実施の形態において、露光装置１６は、ＬＥＤユニットであって、ＬＥＤアレイ１６ａ（ＬＥＤ本体）、ＬＥＤ基板、ＬＥＤ保持部、などで構成されている。そして、露光装置１６におけるＬＥＤアレイ１６ａの露光面から射出された露光光Ｌが、感光体ドラム１１の表面に照射されて、感光体ドラム１１の表面に所望の静電潜像が形成されることになる。露光装置１６としてＬＥＤユニットを用いることで、露光装置としてレーザー方式のものを用いる場合に比べて、感光体ドラム１１に対して高精度に近接させる必要があるものの、光路長を短くしたり装置を小型化したりすることができる。
【００３１】
そして、本実施の形態における画像形成装置１には、露光装置１６を、図２（Ａ）に示す対向位置と、図２（Ｂ）に示す離間位置（図２（Ａ）に示す対向位置よりも感光体ドラム１１から下方に離れた位置である。）と、の間で移動させる移動機構３６が設けられている。すなわち、露光装置１６は、プロセスカートリッジ１０とは別の部材であって、画像形成装置本体１において上下方向に移動可能に設置されている。
【００３２】
詳しくは、図２（Ａ）に示すように、移動機構３６によって露光装置１６が第１支持部３７ａに支持された状態になると、露光装置１６に形成された突当部（画像領域から充分に離れた回転軸方向両端部に形成されている。）が感光体ドラム１１に突き当たる位置まで、圧縮スプリング３８（図４を参照できる。）によって上方に押動される。この露光装置１６の位置（図２（Ａ）に示す位置である。）は、露光工程をおこなうことが可能な位置（適宜に「対向位置」と呼ぶ。）である。
これに対して、図２（Ｂ）に示すように、移動機構３６によって露光装置１６が第２支持部３７ｂ（第１支持部３７ａよりも低い位置に形成されている。）に支持された状態になると、露光装置１６が図２（Ｂ）に示す位置に移動する（白矢印方向の移動である）。この露光装置１６の図２（Ｂ）に示す位置は、露光装置１６がプロセスカートリッジ１０に干渉することなく、画像形成装置本体１に対してプロセスカートリッジ１０を着脱することが可能な位置（適宜に「離間位置」と呼ぶ。）である。
【００３３】
そして、露光装置１６は、プロセスカートリッジ１０が画像形成装置本体１から離脱されるときに図２（Ａ）に示す対向位置よりも下方の離間位置（図２（Ｂ）に示す位置である。）に移動されて、プロセスカートリッジ１０が画像形成装置本体１に装着されるときに離間位置から対向位置に移動されることになる。
プロセスカートリッジ１０は、露光装置１６が設置された画像形成装置本体１に対して、図３（Ｃ）の白矢印方向に移動されて離脱され、その矢印方向に対して逆方向に移動されて装着されることになる。
なお、露光装置１６を上下動させる移動機構３６の構成・動作については、後で図４等を用いて、さらに詳しく説明する。
【００３４】
また、本実施の形態における画像形成装置１には、クリーニング装置１５、２９で回収された未転写トナーが廃トナーとして回収される廃トナー回収容器３０が、画像形成装置本体１に対して着脱可能に設置されている。
４つのプロセスカートリッジ１０Ｙ、１０Ｍ、１０Ｃ、１０ＢＫにそれぞれ設置されたクリーニング装置１５に回収された未転写トナーと、中間転写ベルトクリーニング装置２９に回収された未転写トナーとは、いずれも、搬送経路（搬送スクリュが内設された搬送管である。）に流入されて、搬送経路よって廃トナー回収容器３０の位置まで搬送されて、流入口を介して廃トナー回収容器３０の内部に流入され回収される。
画像形成装置本体１に対する廃トナー回収容器３０の着脱動作に連動して、廃トナー回収容器３０の流入口が搬送経路（搬送管）に着脱されることになる。
【００３５】
また、図３及び図４を参照して、本実施の形態における画像形成装置１には、画像形成装置本体１の内部を開閉して、プロセスカートリッジ１０Ｙ、１０Ｍ、１０Ｃ、１０ＢＫ（着脱ユニット）の着脱と、廃トナー回収容器３０の着脱と、を可能にする開閉カバー５０が設置されている。
開閉カバー５０は、ユーザー（作業者）による手動操作によって、画像形成装置本体１の正面においてヒンジ５０ａを回動中心として上下方向に回動されることになる。そして、開閉カバー５０が閉鎖された状態（図３（Ａ）、図４（Ｃ）の状態である。）で、先に図１、図２（Ａ）を用いて説明した画像形成プロセスがおこなわれることになる。また、開閉カバー５０が閉鎖された状態（図３（Ｂ）、図３（Ｃ）、図４（Ａ）、図４（Ｂ）の状態である。）で、ユーザー（作業者）による手動操作によって、廃トナー回収容器３０やプロセスカートリッジ１０Ｙ、１０Ｍ、１０Ｃ、１０ＢＫの着脱操作がおこなわれることになる。
【００３６】
ここで、図３、図４を参照して、本実施の形態において、廃トナー回収容器３０は、開閉カバー５０と、着脱ユニットとしてのプロセスカートリッジ１０（複数のプロセスカートリッジ１０Ｙ、１０Ｍ、１０Ｃ、１０ＢＫである。）と、の間の空間に配置されている。
そして、図３（Ｃ）、図４（Ａ）に示すように、画像形成装置本体１に対して廃トナー回収容器３０が離脱された状態のときに、画像形成装置本体１に対して複数のプロセスカートリッジ１０Ｙ、１０Ｍ、１０Ｃ、１０ＢＫが着脱可能な状態になる。
すなわち、廃トナー回収容器３０は、図３（Ｂ）に示すように、開閉カバー５０が開放された状態で、４つのプロセスカートリッジ１０Ｙ、１０Ｍ、１０Ｃ、１０ＢＫ（及び、露光装置１６、移動機構３６）を覆うように配置されている。そして、その状態から図３（Ｃ）に示すように、画像形成装置本体１から廃トナー回収容器３０が取り外されると、４つのプロセスカートリッジ１０Ｙ、１０Ｍ、１０Ｃ、１０ＢＫ（及び、露光装置１６、移動機構３６）が、開閉カバー５０によって解放された空間に露呈することになる。
【００３７】
ここで、本実施の形態では、画像形成装置本体１に対して廃トナー回収容器３０を装着する動作に連動して、露光装置１６が図２（Ｂ）に示す離間位置から図２（Ａ）に示す対向位置に移動するように移動機構３６が動作する。これに対して、画像形成装置本体１に対して廃トナー回収容器３０を離脱する動作に連動して、露光装置１６が図２（Ａ）に示す対向位置から図２（Ｂ）に示す離間位置に移動するように移動機構３６が動作する。
【００３８】
詳しくは、図４を参照して、移動機構３６には、支持部材３７が設けられている。支持部材３７は、第１支持部３７ａと、第１支持部３７ａに対して露光装置１６から離れた位置に形成された第２支持部３７ｂと、第１支持部３７ａと第２支持部３７ｂとを中継するスロープ部３７ｃ（傾斜部）と、がそれぞれ回転軸方向（図４の左右方向である。）に延在するように形成されている。詳しくは、支持部材３７には、回転軸方向（着脱方向）の両端部にそれぞれ、装着方向手前側（図４の右方である。）から順に第１支持部３７ａ、スロープ部３７ｃ、第２支持部３７ｂが形成されている。
【００３９】
そして、画像形成装置本体１に対して廃トナー回収容器３０を装着する動作に連動して、支持部材３７が廃トナー回収容器３０に回転軸方向に押動されて、第２支持部３７ｂによって露光装置１６を支持した状態（図４（Ｂ）の状態である。）から第１支持部３７ａによって露光装置１６を支持した状態（図４（Ｃ）の状態である。）に変化する。
具体的に、露光装置１６におけるＬＥＤ保持部の底部には、第１支持部３７ａ、スロープ部３７ｃ、第２支持部３７ｂに直接的に接触する当接部１６ｂが、下方に突出するように形成されている。そして、廃トナー回収容器３０に押されて支持部材３７が図４の右方から左方に向けてスライド移動すると、露光装置１６の当接部１６ｂが第２支持部３７ｂ、スロープ部３７ｃ、第１支持部３７ａの順に当接する状態になって、露光装置１６がスムーズに上方（図２（Ａ）に示す対向位置である。）に押し上げられて、その状態が維持されることになる。
【００４０】
なお、本実施の形態では、第１支持部３７ａ、スロープ部３７ｃ、第２支持部３７ｂが一体的に形成されて段差を有する板状部材が、支持部材３７のベース部に対して上下方向に移動可能に支持されている。支持部材３７のベース部と、第１支持部３７ａと、の間には圧縮スプリング３８が設置されていて、露光装置１６が第１支持部３７ａに支持されて対向位置にあるときに、圧縮スプリング３８による上方への付勢力が露光装置１６に作用するように構成している。
これにより、先に説明した露光装置１６の突当部が感光体ドラム１１に確実に突き当たることになり、感光体ドラム１１に対して露光装置１６が高精度に位置決めされることになる。
なお、この圧縮スプリング３８は、第１支持部３７ａの位置に設置されており、図４（Ａ）、（Ｂ）に示すように第２支持部３７ｂによって露光装置１６を支持した状態であるときには、そのスプリング力は露光装置１６にほとんど作用しない。
【００４１】
また、図４を参照して、支持部材３７には、廃トナー回収容器３０に形成された被嵌合部３０ａに嵌合可能な嵌合部３７ｄ（フック部）が設けられている。
そして、画像形成装置本体１に対して廃トナー回収容器３０を離脱する動作に連動して、支持部材３７の嵌合部３７ｄが廃トナー回収容器３０の被嵌合部３０ａに嵌合した状態で回転軸方向（図４の左方から右方に向かう方向である。）に引っ張られて、第１支持部３７ａによって露光装置１６を支持した状態（図４（Ｃ）の状態である。）から第２支持部３７ｂによって露光装置１６を支持した状態（図４（Ｂ）の状態である。）に変化する。
具体的に、廃トナー回収容器３０に引っ張られて支持部材３７が図４の左方から右方に向けてスライド移動すると、露光装置１６の当接部１６ｂが第１支持部３７ａ、スロープ部３７ｃ、第２支持部３７ｂの順に当接する状態になって、露光装置１６がスムーズに下方（図２（Ｂ）に示す離間位置である。）に移動して、その状態が維持されることになる。
【００４２】
また、上述した廃トナー回収容器３０の離脱動作にともない、支持部材３７は、図４の左方から右方に回転軸方向に引っ張られて第２支持部３７ｂによって露光装置１６を支持した状態に変化した後に、所定位置でストッパ部５１に嵌合してその移動が規制されるとともに、嵌合部３７ｄと廃トナー回収容器３０の被嵌合部３０ａとの嵌合が解除されることになる。
詳しくは、支持部材３７の底部には、下方に起立するように突起部３７ｅが形成されている。また、画像形成装置本体１において支持部材３７がスライド移動するスライド面には、ストッパ部５１が上方に起立するように形成されている。そして、支持部材３７の左方から右方への移動が進んで、突起部３７ｅがストッパ部５１に当接する位置で、支持部材３７の右方への移動が規制されることになる。そして、支持部材３７がこの位置にあるとき、廃トナー回収容器３０の上方には廃トナー回収容器３０を上方へ移動可能な空間が確保された状態になって、嵌合部３７ｄと廃トナー回収容器３０の被嵌合部３０ａとの嵌合を解除することが可能になる。
なお、支持部材３７の突起部３７ｅがストッパ部５１に当接した状態であるとき、支持部材３７の嵌合部３７ｄは、開閉カバー５０によって開放される開口部において、他の部材よりも外側に向けて突出した状態になる。これにより、支持部材３７の嵌合部３７ｄと、廃トナー回収容器３０の被嵌合部３０ａと、を嵌合させたり嵌合解除させたりする操作を良好におこなうことができる。
【００４３】
また、上述した廃トナー回収容器３０の装着動作にともない、支持部材３７は、廃トナー回収容器３０によって右方から左方に回転軸方向に押動されたときに、ストッパ部５１との嵌合が解除される。
すなわち、図４（Ｂ）の状態から廃トナー回収容器３０に押動されて支持部材３７の右方から左方への移動が開始されると、図４（Ｃ）に示すように、突起部３７ｅがストッパ部５１から離れることになる。
【００４４】
以下、図４を用いて、上述した廃トナー回収容器３０の装着時の動作について、まとめとして説明する。
まず、図４（Ａ）に示すように、開閉カバー５０が開放されてプロセスカートリッジ１０が装着された状態で、ユーザーによって廃トナー回収容器３０が黒矢印方向に移動されて、図４（Ｂ）に示すように、廃トナー回収容器３０の被嵌合部３０ａが支持部材３７の嵌合部３７ｄに嵌合するように、廃トナー回収容器３０がセットされる。このとき、支持部材３７の嵌合部３７ｄは、装着方向手前側に突出した状態になっている。また、露光装置１６は、支持部材３７の第２支持部３７ｂに支持された状態になっていて、感光体ドラム１１から充分に離れた離間位置に位置している。
その後、図４（Ｂ）の状態から廃トナー回収容器３０がユーザーによって黒矢印方向に押し込まれて、その動作に連動して支持部材３７も黒矢印方向に移動する。そして、廃トナー回収容器３０と支持部材３７との黒矢印方向の移動が進んで、廃トナー回収容器３０又は支持部材３７が装置本体１内の被突当部に突き当たって、図４（Ｃ）に示す位置で廃トナー回収容器３０と支持部材３７との装着方向の位置が定められる。このとき、露光装置１６は、支持部材３７の第１支持部３７ａに支持されて上方に移動した状態になっていて、感光体ドラム１１に対して所望の対向位置（露光位置）で対向した状態になっている。また、廃トナー回収容器３０は、クリーニング装置１５、２９から未転写トナーを搬送する搬送経路（搬送管）に接続（連通）されることになる。
【００４５】
なお、廃トナー回収容器３０の離脱時の動作は、上述した装着時の動作と逆の手順でおこなわれることになる。
そして、図４（Ａ）に示すように、廃トナー回収容器３０が画像形成装置１から取り外された状態で、４つのプロセスカートリッジ１０Ｙ、１０Ｍ、１０Ｃ、１０ＢＫの一部又は全部が適宜に画像形成装置１から取り外されたり装着されたりすることになる。このとき、露光装置１６は感光体ドラム１１に対して充分に離れた離間位置にあるため、プロセスカートリッジ１０Ｙ、１０Ｍ、１０Ｃ、１０ＢＫの着脱時に、プロセスカートリッジ１０Ｙ、１０Ｍ、１０Ｃ、１０ＢＫが露光装置１６に干渉して破損などが生じる不具合を防止することができる。
【００４６】
このように、本実施の形態では、廃トナー回収容器３０の着脱動作に連動して露光装置１６を上下動させているため、プロセスカートリッジ１０（感光体ドラム１１）と開閉カバー５０との間の空間に廃トナー回収容器３０が配置されていても、廃トナー回収容器３０の容量や形状などに大きな制約を生じさせることなく、露光装置１６が対向位置と離間位置との間で簡易に移動されて、プロセスカートリッジ１０の着脱を少ない手順でおこなうことができる。
具体的に、プロセスカートリッジ１０を画像形成装置本体１から取り出すときには、主として、（１）開閉カバー５０を開閉する手順、（２）廃トナー回収容器３０を引き出す手順、（３）廃トナー回収容器３０を取り外す手順、がおこなわれた後に、プロセスカートリッジ１０が回転軸方向に引き抜かれて離脱作業が完了することになる。なお、プロセスカートリッジ１０を画像形成装置本体１に装着するときには、その逆の手順がおこなわれることになる。
【００４７】
ここで、図２を参照して、本実施の形態における画像形成装置１には、感光体ドラム１１（像担持体）に対して露光装置１６が図２（Ａ）に示す対向位置に位置している状態を検知する検知手段としての光学センサ６０が設置されている。
そして、光学センサ６０（検知手段）によって露光装置１６が図２（Ａ）に示す対向位置に位置している状態が検知されないときに、その旨の報知と、廃トナー回収容器３０が装着されていない旨の報知と、をおこなうとともに、画像形成動作が開始されないように制御している。
詳しくは、光学センサ６０は、図２に示すように、露光装置１６が対向位置にあるか離間位置にあるかを光学的に検知できるように配置されている。そして、光学センサ６０によって露光装置１６が検知されないときには、露光装置１６が離間位置にあって露光工程をおこなえない状態であるとともに、廃トナー回収容器３０が装着されていない状態であるものとして、その旨の表示（例えば、「プリントできません。廃トナー回収容器を正しくセットしてください」なる表示である。）を表示パネル（画像形成装置１の外装部に設置されている。）に表示する。さらに、このような状態で画像形成動作がおこなわれないように、光学センサ６０によって露光装置１６が検知される状態になるまで、画像形成動作を停止する。
このように構成することにより、廃トナー回収容器３０のセットの有無を検知するセンサを別に設けることなく、廃トナー回収容器３０のセットの有無を検知することができるため、センサの数を少なくすることができて、画像形成装置１が全体的にコストダウンされることになる。
【００４８】
＜変形例１＞
図５は、変形例１としての画像形成装置本体１に対して廃トナー回収容器３０が装着される手順を示す概略断面図であって、本実施の形態における図４に相当する図である。
図５に示すように、変形例１おける画像形成装置１において、移動機構３６には、支持部材３７を着脱方向における装着方向の奥側に向けて付勢する付勢部材としての引張スプリング３９が設けられている。また、支持部材３７は、装着方向手前側（図５の右方である。）の所定位置（図５（Ｂ）の位置であって、廃トナー回収容器３０を着脱できる位置である。）にまで移動すると、自重により回転支軸３７ｆを中心にして時計方向に回動するように構成されている。さらに、画像形成装置本体１には、自重により回転支軸３７ｆを中心にして下方に回動した支持部材３７を保持可能に構成された保持機構５２（例えば、スプリングによって付勢されたフック状部材である。）が設置されている。保持機構５２は、支持部材３７の回転軸方向の移動と回転支軸３７ｆを中心にした回動とを規制するストッパ部として機能する。
【００４９】
以下、図５を用いて、変形例１において、廃トナー回収容器３０の装着時の動作について説明する。
まず、図５（Ａ）に示すように、開閉カバー５０が開放されてプロセスカートリッジ１０が装着された状態で、ユーザーによって廃トナー回収容器３０が黒矢印方向に移動されて、図５（Ｂ）に示すように、廃トナー回収容器３０の被嵌合部３０ａと突出部３０ｂとが支持部材３７の嵌合部３７ｄを挟み込んで嵌合するように、廃トナー回収容器３０がセットされる。このとき、ストッパ部として機能する保持機構５２と支持部材３７との嵌合が解除されて、支持部材３７が突出部３０ｂに押動されて回転支軸３７ｆを中心にして反時計方向に回動する。また、このとき、露光装置１６は、支持部材３７の第２支持部３７ｂに支持された状態になっていて、感光体ドラム１１から充分に離れた離間位置に位置している。
その後、図５（Ｂ）の状態から廃トナー回収容器３０がユーザーによって黒矢印方向に押し込まれて、その動作に連動して支持部材３７も黒矢印方向に移動する。そして、廃トナー回収容器３０と支持部材３７との黒矢印方向の移動が進んで、引張スプリング３９の付勢力も加わって、廃トナー回収容器３０又は支持部材３７が装置本体１内の被突当部に突き当たって、図５（Ｃ）に示す位置で廃トナー回収容器３０と支持部材３７との装着方向の位置が精度良く定められる。このとき、露光装置１６は、支持部材３７の第１支持部３７ａに支持されて上方に移動した状態になっていて、感光体ドラム１１に対して所望の対向位置（露光位置）で対向した状態になっている。また、廃トナー回収容器３０は、クリーニング装置１５、２９から未転写トナーを搬送する搬送経路（搬送管）に接続（連通）されることになる。
なお、廃トナー回収容器３０の離脱時の動作は、上述した装着時の動作と逆の手順でおこなわれることになる。
このように、変形例１においても、廃トナー回収容器３０の着脱動作に連動して露光装置１６を上下動させているため、本実施の形態のものと同様の効果を得ることができる。
【００５０】
＜変形例２＞
図６は、変形例２としての画像形成装置本体１に対して廃トナー回収容器３０が離脱される手順を示す概略断面図であって、本実施の形態における図４（Ａ）〜（Ｃ）の手順を逆にしたものに相当する図である。
図６に示すように、変形例２おける画像形成装置１は、開閉カバー５０の開閉動作に連動して廃トナー回収容器３０の脱着動作がおこなわれるように構成している。
以下、図６を用いて、変形例２において、廃トナー回収容器３０の離脱時の動作について説明する。
まず、図６（Ａ）に示すように、プロセスカートリッジ１０や廃トナー回収容器３０が装着された状態で開閉カバー５０が開放されると、廃トナー回収容器３０は開閉カバー５０の内壁面に着脱可能に保持されているため、図６（Ｂ）に示すように、開閉カバー５０とともに廃トナー回収容器３０がヒンジ５０ａを中心にして黒矢印方向に回動する。このように廃トナー回収容器３０が回動するとき、廃トナー回収容器３０の被嵌合部３０ａに嵌合部３７ｄが嵌合した状態の支持部材３７は、図６（Ｂ）に示すように、左方から右方に矢印方向に移動して、突起部３７ｅがストッパ部５１に当接する位置で、廃トナー回収容器３０の被嵌合部３０ａと支持部材３７の嵌合部３７ｄとの嵌合が解除される。このとき、露光装置１６は、支持部材３７の第１支持部３７ａに支持された状態から第２支持部３７ｂに支持された状態に変化して、感光体ドラム１１から充分に離れた離間位置に位置している。また、廃トナー回収容器３０は、クリーニング装置１５、２９から未転写トナーを搬送する搬送経路（搬送管）に接続された状態が解除されることになる。
その後、図６（Ｃ）に示すように、開放された開閉カバー５０に保持された状態の廃トナー回収容器３０が、ユーザーによって黒矢印方向に取り外される。さらに、４つのプロセスカートリッジ１０Ｙ、１０Ｍ、１０Ｃ、１０ＢＫの一部又は全部が適宜に画像形成装置１から取り外されることになる。
なお、廃トナー回収容器３０の装着時の動作は、上述した離脱時の動作と逆の手順でおこなわれることになる。
【００５１】
このように、変形例２においても、廃トナー回収容器３０の着脱動作に連動して露光装置１６を上下動させているため、本実施の形態のものと同様の効果を得ることができる。
特に、変形例２では、開閉カバー５０を開閉する手順と、廃トナー回収容器３０を押引する手順と、が連動しておこなわれることになるため、プロセスカートリッジ１０の着脱をさらに少ない手順でおこなうことができる。
また、画像形成装置本体１に装着された状態で、廃トナー回収容器３０の流入口（搬送経路に連通する開口部である。）が、容器の側面に形成されている場合には、図６（Ｂ）、（Ｃ）に示すように、画像形成装置本体１に対して着脱される廃トナー回収容器３０の姿勢を、流入口が形成された側面が上方に向くようにすることができる。そのため、画像形成装置本体１に対して着脱される廃トナー回収容器３０の流入口から廃トナーがこぼれる不具合を軽減することができる。
【００５２】
以上説明したように、本実施の形態における画像形成装置１は、露光装置１６を、露光工程をおこなうために感光体ドラム１１（像担持体）に対向する対向位置と、対向位置よりも感光体ドラム１１から離れた離間位置と、の間で移動させる移動機構３６が設けられている。また、廃トナー回収容器３０が、開閉カバー５０とプロセスカートリッジ１０（着脱ユニット）との間の空間に、着脱可能に配置されている。そして、画像形成装置本体１に対して廃トナー回収容器３０を着脱する動作に連動して、露光装置１６が離間位置から対向位置に移動したり対向位置から離間位置に移動したりするように移動機構３６が動作する。
これにより、プロセスカートリッジ１０と開閉カバー５０との間の空間に廃トナー回収容器３０を配置しても、露光装置１６が対向位置と離間位置との間で簡易に移動されて、プロセスカートリッジ１０の着脱を少ない手順でおこなうことができる。
【００５３】
なお、本実施の形態においては、感光体ドラム１１、帯電装置１２、現像装置１３、クリーニング装置１５が一体化されたプロセスカートリッジ１０が着脱可能に設置された画像形成装置１に対して、本発明を適用した。しかし、本発明の適用は、少なくとも感光体ドラム（像担持体）を具備した着脱ユニットが着脱可能に設置された画像形成装置であれば可能である。例えば、感光体ドラムが単体で着脱ユニットとして着脱可能に設置された画像形成装置に対しても、本発明を適用することができる。
ここで、本願において、「プロセスカートリッジ」とは、像担持体を帯電する帯電部と、像担持体上に形成された潜像を現像する現像装置（現像部）と、像担持体上をクリーニングするクリーニング部（クリーニング装置）と、のうち少なくとも１つと、像担持体とが、一体化されて、画像形成装置本体に対して着脱可能に設置される着脱ユニットと定義する。
【００５４】
また、本実施の形態においては、複数のプロセスカートリッジ１０Ｙ、１０Ｍ、１０Ｃ、１０ＢＫ（着脱ユニット）が設置されたカラー画像形成装置１に対して本発明を適用したが、１つのプロセスカートリッジ（着脱ユニット）が設置されたモノクロ画像形成装置１に対しても、当然に本発明を適用することができる。
そして、そのような場合であっても、本実施の形態のものと同様の効果を得ることができる。
【００５５】
なお、本発明が本実施の形態に限定されず、本発明の技術思想の範囲内において、本実施の形態の中で示唆した以外にも、本実施の形態は適宜変更され得ることは明らかである。また、前記構成部材の数、位置、形状等は本実施の形態に限定されず、本発明を実施する上で好適な数、位置、形状等にすることができる。
【符号の説明】
【００５６】
１  画像形成装置（画像形成装置本体）、
１０  プロセスカートリッジ（着脱ユニット）、
１１  感光体ドラム（像担持体）、
１３  現像装置（現像部）、
１５  クリーニング装置、
１６  露光装置（ＬＥＤユニット）、
１６ａ  ＬＥＤアレイ、
１６ｂ  当接部、
３０  廃トナー回収容器、
３０ａ  被嵌合部、
３０ｂ  突出部、
３６  移動機構、
３７  支持部材、
３７ａ  第１支持部、  ３７ｂ  第２支持部、
３７ｃ  スロープ部（傾斜部）、
３７ｄ  嵌合部、
３７ｅ  突起部、  ３７ｆ  回動支軸、
３８  圧縮スプリング、
３９  引張スプリング（付勢部材）、
５０  開閉カバー（開閉部材）、
５１  ストッパ部、
５２  保持機構（ストッパ部）、
６０  光学センサ（検知手段）。
【先行技術文献】
【特許文献】
【００５７】
【特許文献１】特開２０１３−１９５５４３号公報
【図１】
2018054711.tif 000003
【図２】
2018054711.tif 000004
【図３】
2018054711.tif 000005
【図４】
2018054711.tif 000006
【図５】
2018054711.tif 000007
【図６】
2018054711.tif 000008